(57)【要約】【課題】室内機の洗浄時に洗浄液が外部に漏れるのを防ぐことができるエアコン洗浄カバーを提供する。【解決手段】エアコン洗浄カバー１は、エアコンの室内機の外周を囲うように着脱自在に取り付けられるシート製のカバー本体１０と、カバー本体１０の下端に設けられたホース部２０と、を備え、カバー本体１０は、室内機を洗浄作業するための洗浄用開口部１１と、室内機に取り付けるための取付用開口部１２と、取付用開口部１２の開口面積を調整してカバー本体１０を室内機に固定する固定部１３とを有する。【選択図】図３
2020122587.tif 000002
【特許請求の範囲】
【請求項１】
エアコンの室内機の外周を囲うように着脱自在に取り付けられるシート製のカバー本体と、
前記カバー本体の下端に設けられたホース部と、を備え、
前記カバー本体は、
前記室内機を洗浄作業するための洗浄用開口部と、
前記室内機に取り付けるための取付用開口部と、
前記取付用開口部の開口面積を調整して前記カバー本体を前記室内機に固定する固定部と、を有するエアコン洗浄カバー。
【請求項２】
前記固定部は、伸縮調整可能な締め付け紐と、前記締め付け紐の長さを調整する調整部とを備え、
前記締め付け紐及び前記調整部は、前記取付用開口の左右のそれぞれに設けられている請求項１に記載のエアコン洗浄カバー。
【請求項３】
前記固定部は、紐と、前記紐の長さを調整する調整部とを有する請求項１に記載のエアコン洗浄カバー。
【請求項４】
前記洗浄用開口部は、略四角形の形状を有し、前記四角形の一つの頂点が上部に位置する請求項１から請求項３のいずれか一項に記載のエアコン洗浄カバー。
【発明の詳細な説明】
【技術分野】
【０００１】
本発明は、エアコン洗浄カバーに関する。
【背景技術】
【０００２】
従来より、エアコンの室内機を洗浄する際に洗浄用のカバーを使用して洗浄液で部屋の中が水浸しになることを防ぐようにしている。
【０００３】
特許文献１の水受けカバーは、上方が拡開した袋状の形状を有し、開口部後ろ面の縁にゴムベルトを設け、ゴムベルトの一端を調整金具に取り付け、また開口部前面に前面針金を設け、縁に縁針金を設けている。
【先行技術文献】
【特許文献】
【０００４】
【特許文献１】特開２０００−１７９８８８号公報
【発明の概要】
【発明が解決しようとする課題】
【０００５】
しかしながら、特許文献１の構成では、水受けカバーが、上方が拡開した袋状の形状をしている等により、カバーの外に洗浄液が漏れてしまうことがあった。
【０００６】
したがって、本発明は以上の課題に鑑みてなされたものであり、室内機の洗浄時に洗浄液が外部に漏れるのを防ぐことができるエアコン洗浄カバーを提供することを目的とする。
【課題を解決するための手段】
【０００７】
上記課題を解決するために、（１）本発明のエアコン洗浄カバーは、エアコンの室内機の外周を囲うように着脱自在に取り付けられるシート製のカバー本体と、前記カバー本体の下端に設けられたホース部と、を備え、前記カバー本体は、前記室内機を洗浄作業するための洗浄用開口部と、前記室内機に取り付けるための取付用開口部と、前記取付用開口部の開口面積を調整して前記カバー本体を前記室内機に固定する固定部と、を有する。
【０００８】
（２）上記（１）の構成において、締め付け紐と、前記締め付け紐の長さを調整する調整部とを備え、前記締め付け紐及び前記調整部は、前記取付用開口の左右のそれぞれに設けられている。
【０００９】
（３）上記（１）の構成において、前記固定部は、紐と、前記紐の長さを調整する調整部とを有する。
（１）上記（１）から（３）のいずれか一の構成において、前記洗浄用開口部は、略四角形の形状を有し、前記四角形の一つの頂点が上部に位置する。
【００１０】
本発明によれば、室内機の洗浄時に洗浄液が外部に漏れるのを防ぐことができるエアコン洗浄カバーを提供できる。
【図面の簡単な説明】
【００１１】
【図１】本発明の実施形態に係るエアコン洗浄カバーを洗浄用開口部より見た正面図である。
【図２】図１のＡ−Ａ断面図である。
【図３】本発明の実施形態に係るエアコン洗浄カバーを洗浄用開口部より見た斜視図であって、エアコンの室内機を省略してエアコン洗浄カバーのみを示している。
【図４】本発明の実施形態に係るエアコン洗浄カバーをエアコンの室内機を包んだ状態の斜視図である。
【図５】本発明の実施形態に係るエアコン洗浄カバーをエアコンの室内機に取り付ける前の状態を示す図である。
【図６】（ａ）は、本発明の実施形態に係るエアコン洗浄カバーを洗浄用開口部を少し広げた状態図、（ｂ）は取付用開口部及び洗浄開口部を少し広げた状態図である。
【図７】本発明の実施形態に係るエアコン洗浄カバーを取付用開口部より見た図であって、エアコンの室内機を省略してカバーのみを示している。
【図８】本発明の実施形態に係るエアコン洗浄カバーにおけるエアコン洗浄作業のイメージ図である。
【発明を実施するための形態】
【００１２】
次に、本発明の実施形態に係るエアコン洗浄カバーについて説明する。
図１は、本発明の実施形態に係るエアコン洗浄カバーを洗浄用開口部より見た正面図である。図２は、図１のＡ−Ａ断面図である。
【００１３】
このエアコン洗浄カバー１は、家屋や建物の壁に固定されたエアコンの室内機３０を水等の洗浄液で洗浄する際に周囲が洗浄で使用した洗浄液で汚れないようにカバーするためのものである。
【００１４】
エアコン洗浄カバー１は、カバー本体１０と、ホース部２０とを備えている。
カバー本体１０は、エアコンの室内機３０の外周を囲うように着脱自在に取り付けられるシート製のものである。
カバー本体１０の下端には、開口が設けられており、この開口につながるようホース部２０が設けられている。
【００１５】
カバー本体１０及びホース部２０は、塩化ビニル、ポリエチレン、ナイロン及びウレタン等の透明な樹脂によって形成されている。
カバー本体１０とホース部２０は、熱溶着等により接続される。
【００１６】
カバー本体１０には、室内機３０を洗浄作業するための洗浄用開口部１１が設けられており、この洗浄用開口部１１に、洗浄用のホース３１を挿入し、洗浄液を室内機３０に掛けながら室内機３０を洗浄することができる。
【００１７】
洗浄用開口部１１は、図に示す例ではひし形に形成されているが、この形状に限られずに丸形状、四角形状など種々の形状にすることができる。
洗浄用開口部１１は、好ましくは、略四角形の形状を有し、四角形の一つの頂点１１Ｔが上部に位置するように形成されている。この構成により、室内機３０に当たって跳ね返る洗浄液がエアコン洗浄カバー１の外に出るのを防ぐことができる。
【００１８】
カバー本体１０には、室内機３０に取り付けるための取付用開口部１２が設けられている。この取付用開口部１２の形状は、例えば丸形状、四角形状等とすることができるが、この形状以外の形状とすることもできる。
【００１９】
カバー本体１０には、取付用開口部１２の周縁に設けられ、取付用開口部１２の開口面積を調整してカバー本体１０を室内機３０に固定する固定部１３が設けられている。
固定部１３は、伸縮調整可能な締め付け紐１４と、締め付け紐１４の長さを調整するストッパーとしての調整部１５とを有する。締め付け紐１４は、例えば伸縮調整可能なゴム紐によって構成することもできる。締め付け紐１４の両端は調整部１５の外に出ており、その他の部分は取付用開口部１２の周縁に設けられている。
調整部１５の外側の締め付け紐１４の両端を引っ張ることにより、取付用開口部１２の開口面積が小さくなり取付用開口部１２が室内機３０に締め付けられ、固定される。
【００２０】
締め付け紐１４を引っ張って締め付けることにより取付用開口部１２の開口面積を小さくすることで、エアコン洗浄カバー１を室内機３０に固定することができ、調整部１５を操作して締め付け紐１４を緩めることにより取付用開口部１２の開口面積を大きくすることで、エアコン洗浄カバー１を室内機３０から外すことができる。
左右に伸縮調整機能のある締め付け用のゴム紐１４とストッパーとしての調整部１５が設けられている。２箇所のストッパーでゴムの締め付けを調整できることで、多様なエアコンの形状にも対応可能となった。２箇所のストッパーでゴムの締め付けできることで、従来のストッパーなしと比較してエアコンカバーのエアコンへの締め付けが強化でき、たるみを抑え、清掃時の水漏れを防ぐことができる。
【００２１】
カバー本体１０は、下端に設けられたホース部２０に向けて洗浄液がホース部２０に集まりやすいよう徐々に狭まる形状１０Ｓを持ち、洗浄液はホース部２０を通って用意されたバケツに回収される。
図に示す例では、締め付け紐１４と調整部１５は、取付用開口部１２の左右のそれぞれに設けられているが、片側だけに設けることもできる。
【００２２】
図１及び図２に示すように、室内機３０の壁Ｗに近い位置で取付用開口部１２の両側の締め付け紐１４を力強く引っ張って、これ以上引っ張れない位置で調整部１５を操作して締め付け紐１４の長さを調整することで、エアコン洗浄カバー１を室内機３０にしっかりと固定することができる。これにより、洗浄用開口部１１から洗浄液を入れても取付用開口部１２から洗浄液が漏れるのを防ぐことができる。
【００２３】
図３は、本発明の実施形態に係るエアコン洗浄カバーを洗浄用開口部より見た斜視図であって、エアコンの室内機を省略してエアコン洗浄カバーのみを示している。
図４は、本発明の実施形態に係るエアコン洗浄カバーをエアコンの室内機を包んだ状態の斜視図である。
【００２４】
図３及び図４に示すように、洗浄用開口部１１は、取付用開口部１２に対向する位置に設けられている。洗浄用開口部１１は、カバー本体部１０の膨らんだ形状の上部に位置するよう形成されている。
【００２５】
洗浄用開口部１１は、略四角形（ひし形）の形状を有し、四角形の一つの頂点１１Ｔが上部に位置するように設けられている。この構成により、室内機３０で跳ね返った洗浄液をエアコン洗浄カバー１の外に出さないようにすることができる。
【００２６】
エアコン洗浄カバー１は、締め付け紐１４を力強く締め付けることにより取付用開口部１２の開口面積を小さくして、室内機３０にしっかりと固定することができる。これにより洗浄用開口部１１から洗浄液を室内機３０に掛けても取付用開口部１２から洗浄液も漏れることは無く、集められた洗浄液はホース部２０を通ってバケツＢに回収される。
【００２７】
図５は、本発明の実施形態に係るエアコン洗浄カバーをエアコンの室内機に取り付ける前の状態を示す図である。
図６（ａ）は、本発明の実施形態に係るエアコン洗浄カバーを洗浄用開口部を少し広げた状態図、同図（ｂ）は取付用開口部及び洗浄開口部を少し広げた状態図である。
【００２８】
エアコン洗浄カバー１を取付時、左右の締め付け紐１４を開いて、図６（ａ）の状態から図６（ｂ）の状態とし、取付用開口部１２を開いてエアコンの室内機３０の裏側の壁Ｗに近い位置に引っ掛ける。次に、両側の締め付け紐１４を力強く引き、締め付け紐１４をこれ以上引っ張れない位置まで引き、調整部１５を操作して締め付け紐の位置を固定する。
【００２９】
このようにしてエアコン洗浄カバー１を室内機３０に取り付けることで、エアコン洗浄カバー１は図７に示すようにエアコンの室内機３０に強固に固定される。
図７は、本発明の実施形態に係るエアコン洗浄カバーを取付用開口部より見た図であって、エアコンの室内機を省略してカバーのみを示している。
【００３０】
図８は、本発明の実施形態に係るエアコン洗浄カバーにおけるエアコン洗浄作業のイメージ図である。
図８に示すように、作業者Ｍは、エアコン洗浄カバー１をエアコンの室内機３０にしっかりと固定して、洗浄ホース３１から洗浄液を室内機３０に掛けながら室内機３０を洗浄していく。
【００３１】
取付用開口部１２は、室内機３０の裏側にしっかりと固定されているため、取付用開口部１２から洗浄液が漏れることはない。
また、洗浄用開口部１１は、室内機３０と対向する面積が小さくなるよう頂点１１Ｔが上部を向いたひし形形状をしているため、洗浄液が室内機３０によって跳ね返って洗浄用開口部１１から外部ででてくる量を最小限に抑えることができる。
洗浄液は、カバー本体１０の下端に集まってホース部２０を通ってバケツＢに回収される。
【００３２】
以上の通り、本実施形態によれば、取付用開口部１２をしっかり固定する固定部を設けることで、室内機３０の洗浄時に洗浄液が外部に漏れるのを防ぐことができるエアコン洗浄カバー１を提供することができる。
【００３３】
以上、本発明を、実施形態を用いて説明したが、本発明の技術的範囲は上記の実施形態の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３４】
１  エアコン洗浄カバー
１０  カバー本体
１１  洗浄用開口部
１２  取付用開口部
１３  固定部
１４  締め付け紐
１５  調整部
２０  ホース部
３０  室内機
【図１】
2020122587.tif 000003
【図２】
2020122587.tif 000004
【図３】
2020122587.tif 000005
【図４】
2020122587.tif 000006
【図５】
2020122587.tif 000007
【図６】
2020122587.tif 000008
【図７】
2020122587.tif 000009
【図８】
2020122587.tif 000010